(57)【要約】【課題】  読み取り画像の色再現性を良くした読み取り用光源としての希ガス蛍光ランプを勘弁に提供すること。【解決手段】  直管状のガラスバルブの管壁に一対の電極が管軸方向に沿って対向配置されており、該ガラスバルブの内部には希ガスが封入され、該ガラスバルブの内壁には蛍光体層が配設され、前記ガラスバルブの直管方向に沿って該蛍光体層が配設されないアパーチャ部が形成された希ガス蛍光ランプにおいて、該アパーチャ部のない該ガラスバルブ外壁面に反射防止部材をつけたことを特徴とする希ガス蛍光ランプとする。【選択図】  図２
2006108075.tif 000002
【特許請求の範囲】
【請求項１】
直管状のガラスバルブの管壁に一対の電極が管軸方向に沿って対向配置されており、該ガラスバルブの内部には希ガスが封入され、該ガラスバルブの内壁には蛍光体層が配設され、前記ガラスバルブの直管方向に沿って該蛍光体層が配設されないアパーチャ部が形成された希ガス蛍光ランプにおいて、
該アパーチャ部のない該ガラスバルブ外壁面に反射防止部材をつけたことを特徴とする希ガス蛍光ランプ。
【請求項２】
前記反射防止部材の波長４００ｎｍ〜８００ｎｍの範囲での分光反射率が８％〜１０％であることを特徴とする請求項１に記載の希ガス蛍光ランプ。
【請求項３】
前記反射防止部材の波長４００ｎｍ〜８００ｎｍの範囲での分光反射率の最小値は８％以下であることを特徴とする請求項１に記載の希ガス蛍光ランプ。
【発明の詳細な説明】
【技術分野】
【０００１】
本発明は、ファクシミリ、複写機、イメージリーダ等の情報機器に利用される原稿照明用等に利用される希ガス蛍光ランプに関する。
【背景技術】
【０００２】
ＯＡ機器の読み取り用光源に使用される蛍光ランプとして、ガラスバルブの外壁面に帯状の一対の外部電極を配設した希ガス蛍光ランプが知られている。図１に上記蛍光ランプを用いたときの縮小光学系の概略断面図を示す。同図に示したある希ガス蛍光ランプは、直管状のランプを管軸方向に垂直な断面で示してある。例えば特開平１１−３１２４９９号公報などに示される希ガス蛍光ランプである。図１に示すように、希ガス蛍光ランプ１００はガラスバルブ１の管壁に一対の電極２，２'が該ガラスバルブ１に沿って略直管状ランプの全長に亘り対向配置されており、該ガラスバルブ１の内部にはキセノン他の希ガスが封入され、該ガラスバルブ１の内壁には蛍光体層３が配設され、前記ガラスバルブ１の直管方向に沿って該蛍光体層が配設されないアパーチャ部４が形成されている。上記希ガス蛍光ランプ１００のアパーチャ部４から放射された
可視光Ａは原稿面５を照射し、原稿面５を照射した後の反射光Ｂはミラー７、レンズ8を通り、ＣＣＤ9で受ける。２０は原稿面ガラスである。
【０００３】
近年、希ガス蛍光ランプの高照度化が進んでいるが、図１の原稿面５を照射する可視光はアパーチャ４からの可視光Ａだけではなく、ガラスバルブ１及び電極２、２'の外表面にて反射する可視光Ｃも含まれる。
【０００４】
上記、ガラスバルブ面及び電極の外表面で反射した可視光Ｃは原稿面１１で反射した可視光であり、原稿面５に入射する際に原稿面１１の反射光の影響を受ける。このため、原稿面１１の影響を受けた可視光はＣＣＤ出力に原稿面５と原稿面１１の色を再現し、原稿の色再現性を悪くしていた。
【特許文献１】特開平１１−３１２４９９号公報
【発明の開示】
【発明が解決しようとする課題】
【０００５】
そこで、本発明の目的は読み取り画像の色再現性を良くした読み取り用光源としての希ガス蛍光ランプを簡便に提供することにある。
【課題を解決するための手段】
【０００６】
上記課題を解決するために、請求項１に記載の発明は、直管状のガラスバルブの管壁に一対の電極が管軸方向に沿って対向配置されており、該ガラスバルブの内部には希ガスが封入され、該ガラスバルブの内壁には蛍光体層が配設され、前記ガラスバルブの直管方向に沿って該蛍光体層が配設されないアパーチャ部が形成された希ガス蛍光ランプにおいて、該アパーチャ部のない該ガラスバルブ外壁面に反射防止部材をつけたことを特徴とする希ガス蛍光ランプとするものである。
【０００７】
請求項２に記載の発明は、前記反射防止部材の波長４００ｎｍ〜８００ｎｍの範囲での分光反射率が８％〜１０％であることを特徴とする請求項１に記載の希ガス蛍光ランプとするものである。
【０００８】
また、請求項３に記載の発明は、前記反射防止部材の波長４００ｎｍ〜８００ｎｍの範囲での分光反射率の最小値は８％以下であることを特徴とする請求項１に記載の希ガス蛍光ランプとするものである。
【発明の効果】
【０００９】
本発明によれば、直管状のガラスバルブの管壁に一対の電極が管軸方向に沿って対向配置されており、該ガラスバルブの内部には希ガスが封入され、該ガラスバルブの内壁には蛍光体層が配設され、前記ガラスバルブの直管方向に沿って該蛍光体層が配設されないアパーチャ部が形成された希ガス蛍光ランプにおいて、該アパーチャ部のないランプ外壁面に反射防止部材を配設することで、ガラスバルブ面及び電極の外表面で反射した可視光が読取すべき原稿面に照射されることがなく、色再現性を良くした読み取り用光源となる。
【発明を実施するための最良の形態】
【００１０】
以下、本発明の実施の形態を、図２を参照して説明する。図２は本発明の希ガス蛍光ランプ２００を管軸方向に垂直な断面で示した図である。ガラスバルブ１の管壁に一対の電極２，２'がガラスバルブ１に沿って対向配置されており、ガラスバルブ１の内部にはキセノン他の希ガスが封入され、ガラスバルブ１の内壁には蛍光体層３が配設され、ガラスバルブ１の管軸方向に沿って蛍光体層３が配設されないアパーチャ部４が形成されている。そして、ガラスバルブ１のアパーチャ部４を除くガラスバルブ外周面には反射防止部材１２として黒色の反射防止膜を配設している。
【００１１】
例えば、この反射防止膜は黒色の樹脂テープ、例えば黒色顔料を入れたポリエステル系、テトラフルオロエチレン・ヘキサフルオロプロピレン共重合体(４．６フッ化)系、シリコン系を基材としたテープであっても良いし、ランプ固定機能を持った樹脂製のカバー例えば樹脂材料がポリフェニレンサルファイド、ポリブチレンテレフタレートであっても良い。また反射防止部材としては、後述するように酸化チタンと酸化鉄の混合物を有機溶媒に溶かし、ガラスバルブに印刷によって塗布したものであってもよい。
【００１２】
上記、反射防止部材の効果を示す実験結果について説明をする。本発明と組み合わせて使用される縮小光学系の読み取り精度により、ランプ側に必要な性能としては、ランプバルブ外周面の反射光量（Ｓ１）とアパーチャより照射される光量（Ｓ２）とすると、全照射量Ｓ１＋Ｓ２からアパーチャより照射される光量Ｓ２を引いた値とアパーチャより照射される光量Ｓ２の比に１００を掛けて、すなわち、（（Ｓ１＋Ｓ２））−Ｓ２）／Ｓ２に１００を掛けてパーセント表示したときに、０．４％以下というのが望ましい。これは原稿読み取りにおける色再現性を極めて良くするための指標である。
【００１３】
反射防止部材の反射率を変えた蛍光ランプを作成し、バルブ外周面の反射率を評価した。このときの、実際に使用した黒色の反射防止部材の分光反射率を図３に示す。反射防止部材（Ｈ１、Ｈ２、Ｈ３）の分光反射率は４００ｎｍ〜８００ｎｍの範囲でＨ１は７２％〜８５％、Ｈ２は５８％〜７０％、Ｈ３は８％〜１０％の三種類である。分光反射率は４００ｎｍ〜８００ｎｍの範囲でこのように幅があるものである。ここでは反射防止部材は印刷によってガラスバルブ外表面に形成され、反射防止部材の分光反射率は酸化チタンと酸化鉄の混合比によって変化させている。例えば、上記三種類の反射防止部材において、酸化チタンと酸化鉄の比率は各々１００：０、５０：５０、３０：７０である。
【００１４】
照度の測定方法は複写機の読み取りユニットの原稿面に照度計を設置して行った。ランプの反射防止部材の反射率を０％としたときの原稿面照度をアパーチャより照射される光量として基準とし、反射防止部材の反射率を変化させたときの照度値を評価した。
【００１５】
上記三種類の反射防止部材を使用した蛍光ランプを用いて、図１の原稿面５に対して、アパーチャ４より照射される可視光Ａによる照度と電極及びガラスバルブ面で反射した可視光Ｃによる照度を測定した。そのときの、反射部防止材の分光反射率の最小値と、（（Ｓ１＋Ｓ２））−Ｓ２）／Ｓ２に１００を掛けて％表示した値との関係を図４に示す。
【００１６】
反射防止部材Ｈ１、Ｈ２、Ｈ３の分光反射率は４００ｎｍ〜８００ｎｍの範囲のそれぞれの反射率の最小値が７２％、５８％、８％であり、それぞれの（（Ｓ１＋Ｓ２））−Ｓ２）／Ｓ２に１００を掛けた値は３．３７％、２．７５％、０．４％であった。反射防止部材Ｈ３は４００ｎｍ〜８００ｎｍの範囲で分光反射率が８％〜１０％であり、原稿読み取りにおける色再現性は良好となる。
さらに図４からランプバルブ外周面の反射防止部材の分光反射率の最小値を４００ｎｍ〜８００ｎｍの範囲で８％以下にすると、色再現性の極めてよくなる指標０．４％が達成されることがわかる。
【００１７】
分光反射率の最小値が８％以下とは、ランプから放射される光の主たる波長域において、分光反射率の最小値が８％以下であれば色再現性がよいということであり、例えば単一のピーク波長を５４０ｎｍ付近にもつ緑色光のような単色光のランプであれば、波長５４０ｎｍ付近からずれた波長域においては分光反射率が１０％よりも高くても原稿読み取り用の希ガス蛍光ランプのガラスバルブの外壁面につける反射防止部材としては何ら支障がない。
【図面の簡単な説明】
【００１８】
【図１】蛍光ランプを用いたときの縮小光学系の概略断面図を示す。
【図２】本発明の希ガス蛍光ランプを管軸方向に垂直な断面で示した図を示す。
【図３】実際に使用した黒色の反射防止部材の分光反射率を示す。
【図４】ランプバルブ外周面の反射光量とアパーチャより照射される光量の関係を示す。
【符号の説明】
【００１９】
１        ガラス管
２，２'  電極
３        蛍光体層
４        アパーチャ部
５        原稿面
７      ミラー
８      レンズ
９      ＣＣＤ
１１    原稿面
１２    反射防止部材
２０    原稿面ガラス
Ａ    アパーチャ部から放射される可視光
Ｂ    原稿面を照射した後の可視光
Ｃ    バルブ外周面で反射後の可視光
１００  希ガス蛍光ランプ
２００  希ガス蛍光ランプ
【図１】
2006108075.tif 000003
【図２】
2006108075.tif 000004
【図３】
2006108075.tif 000005
【図４】
2006108075.tif 000006